(57)【要約】【課題】アンテナ切替による同期はずれを防止して常に最良の状態でデジタルＴＶ信号を受信できるようにする。【解決手段】複数のアンテナ１からの受信信号を選択的に出力するアンテナ切替手段２と、アンテナ切替手段２を制御する切替制御手段５と、アナログ受信部３と、デジタル受信部４とを備え、切替制御手段５にはアナログＴＶ信号受信時における受信位置と受信位置における各アンテナからのアナログＴＶ信号の受信情報との対応関係を示すテーブルを格納するメモリ５ａと、ＧＰＳシステムによって示された現在の車輌位置位置に一致するメモリ５ａ内の受信位置を探すと共に、受信位置における受信情報から受信に適したアンテナを特定するアンテナ特定手段５ｂとを設け、デジタルＴＶ信号受信時には、特定されたアンテナを選択するための選択信号を切替制御手段５からアンテナ切替手段２に出力した。【選択図】        図１
2004186911.tif 000002
【特許請求の範囲】
【請求項１】
複数のアンテナと、前記各アンテナからの受信信号を選択的に出力するアンテナ切替手段と、前記アンテナ切替手段の切替動作を制御する切替制御手段と、前記受信信号のうちのアナログＴＶ信号を受信するためのアナログ受信部と、前記受信信号のうちのデジタルＴＶ信号を受信するためのデジタル受信部とを備え、前記切替制御手段には前記アナログＴＶ信号受信時における受信位置と前記受信位置における前記各アンテナからの前記アナログＴＶ信号の受信情報との対応関係を示すテーブルを格納するメモリと、ＧＰＳシステムによって示された現在の車輌位置位置に一致する前記メモリ内の受信位置を探すと共に、前記受信位置における受信情報から受信に適したアンテナを特定するアンテナ特定手段とを設け、前記デジタルＴＶ信号受信時には、前記特定されたアンテナを選択するための選択信号を前記切替制御手段から前記アンテナ切替手段に出力したことを特徴とする車載用ダイバーシティ受信装置。
【請求項２】
前記デジタル受信部には前記アンテナ切替手段で選択された一つのアンテナの受信信号を入力したことを特徴とする請求項１に記載の車載用ダイバーシティ受信装置。
【請求項３】
前記アンテナ特定手段は二つのアンテナを特定し、前記デジタル受信部は前記特定された各アンテナで受信したデジタルＴＶ信号をそれぞれ復調するための二つのＯＦＤＭ復調手段を有し、前記各ＯＦＤＭ復調手段から出力されるデジタル信号を位相合わせしてダイバーシティ合成したことを特徴とする請求項１に記載の車載用ダイバーシティ受信装置。
【請求項４】
前記アンテナ特定手段は二つのアンテナを特定し、前記デジタル受信部は前記特定された各アンテナで受信したデジタルＴＶ信号をそれぞれ第一中間周波信号に変換するための二つの第一混合器を有し、前記各第一中間周波信号を位相合わせしてダイバーシティ合成したことを特徴とする請求項１に記載の車載用ダイバーシティ受信装置。
【請求項５】
前記アナログ受信部と前記デジタル受信部とは前記アナログＴＶ信号と前記デジタルＴＶ信号とを第一中間周波信号に変換するための混合器を共用したことを特徴とする請求項１に記載の車載用ダイバーシティ受信装置。
【請求項６】
前記混合器には前記アンテナ切替手段で選択された一つのアンテナの受信信号を入力したことを特徴とする請求項５に記載の車載用ダイバーシティ受信装置。
【請求項７】
前記アンテナ特定手段は二つのアンテナを特定し、前記デジタル受信部は前記特定された各アンテナで受信したデジタルＴＶ信号をそれぞれ第一中間周波信号に変換するための二つの第一混合器と、前記各第一中間周波信号をそれぞれ第二中間周波信号に変換するための二つの第二混合器と、前記各第二中間周波信号をそれぞれ復調するための二つのＯＦＤＭ復調手段とを有し、前記第一混合器の一方には前記アナログＴＶ信号を入力し、前記各ＯＦＤＭ復調手段から出力されるデジタル信号を位相合わせしてダイバーシティ合成したことを特徴とする請求項５に記載の車載用ダイバーシティ受信装置。
【請求項８】
前記アンテナ特定手段は二つのアンテナを特定し、前記デジタル受信部は前記特定された各アンテナで受信したデジタルＴＶ信号をそれぞれ第一中間周波信号に変換するための二つの第一混合器を有し、前記第一混合器の一方には前記アナログＴＶ信号を入力し、前記各第一中間周波信号を位相合わせしてダイバーシティ合成したことを特徴とする請求項５に記載の車載用ダイバーシティ受信装置。
【請求項９】
前記メモリには前記デジタルＴＶ信号の送信所又は放送用中継所の位置情報を記憶し、前記メモリに前記受信情報が格納されていない時には前記アンテナ特定手段は前記ＧＰＳシステムからの車輌位置情報によって受信に適したアンテナを特定したことを特徴とする請求項１乃至８のいずれかに記載の車載用ダイバーシティ受信装置。
【発明の詳細な説明】
【０００１】
【発明の属する技術分野】
本発明は、車載用として好適な、地上波デジタルＴＶ放送を受信するアンテナ切替型のダイバーシティ受信装置に関する。
【０００２】
【従来の技術】
図８は従来のダイバーシティ受信装置を示し、アンテナ１１（Ｎｏ．１〜Ｎｏ．４）のいずれかがアンテナ切替部１２によって選択され、選択されたアンテナからの信号はチューナ１３で同調をとる。その出力はＩＦ部１４を介して同期再生部１５に送られて、その出力はＯＦＤＭデコーダ１６に加えられる。ＯＦＤＭデコーダ１６の復調出力はＭＰＥＧデコーダ１７に加えられて、これにより得られたビデオ信号で表示部１８に画像が表示される。
【０００３】
ここで、ＯＦＤＭデコーダ１６及びＭＰＥＧデコーダ１７から出力されるエラー率（ＢＥＲ）を制御部１９に入力する。そして、出力されたエラー率が、受信した映像の劣化が始まる時のエラー率（閾値）より大きくなったとき、受信状態が悪化したと判断し、制御部１９はダイバー動作を開始してアンテナ１１の切替を行うためのダイバー制御信号を発生し、この信号をアンテナ切替部１２に与えて、アンテナ１１の切り替えを行うようになっている。
【０００４】
そして、アンテナ切替については、ＯＦＤＭ信号の有効シンボル内でアンテナ切替をすると、データの欠落を招き、再生条件が悪化するので、有効シンボル間に設けられているガードインターバルの受信中で切り替えるようにしている（例えば、特許文献１参照。）。
【０００５】
【特許文献１】
特開２００２−３３６８８号公報（図１）
【０００６】
【発明が解決しようとする課題】
上記従来の構成では、アンテナの切替はガードインターバルの期間で行っているが、ガードインターバルには、自己相関を検出するために有効シンボル内の一部の信号と同じ信号を挿入しているので、アンテナ切替時にガードインターバル内の信号が乱され、自己相関が検出不可能となるおそれがある。その結果、復調時にデジタル信号の同期がとれず受信障害を招くという問題が発生する。
【０００７】
本発明は、アンテナ切替による同期はずれを防止して常に最良の状態で受信できるようにすることを目的とする。
【０００８】
【課題を解決するための手段】
本発明は、複数のアンテナと、前記各アンテナからの受信信号を選択的に出力するアンテナ切替手段と、前記アンテナ切替手段の切替動作を制御する切替制御手段と、前記受信信号のうちのアナログＴＶ信号を受信するためのアナログ受信部と、前記受信信号のうちのデジタルＴＶ信号を受信するためのデジタル受信部とを備え、前記切替制御手段には前記アナログＴＶ信号受信時における受信位置と前記受信位置における前記各アンテナからの前記アナログＴＶ信号の受信情報との対応関係を示すテーブルを格納するメモリと、ＧＰＳシステムによって示された現在の車輌位置位置に一致する前記メモリ内の受信位置を探すと共に、前記受信位置における受信情報から受信に適したアンテナを特定するアンテナ特定手段とを設け、前記デジタルＴＶ信号受信時には、前記特定されたアンテナを選択するための選択信号を前記切替制御手段から前記アンテナ切替手段に出力した。
【０００９】
また、前記デジタル受信部には前記アンテナ切替手段で選択された一つのアンテナの受信信号を入力した。
【００１０】
また、前記アンテナ特定手段は二つのアンテナを特定し、前記デジタル受信部は前記特定された各アンテナで受信したデジタルＴＶ信号をそれぞれ復調するための二つのＯＦＤＭ復調手段を有し、前記各ＯＦＤＭ復調手段から出力されるデジタル信号を位相合わせしてダイバーシティ合成した。
【００１１】
また、前記アンテナ特定手段は二つのアンテナを特定し、前記デジタル受信部は前記特定された各アンテナで受信したデジタルＴＶ信号をそれぞれ第一中間周波信号に変換するための二つの第一混合器を有し、前記各第一中間周波信号を位相合わせしてダイバーシティ合成した。
【００１２】
また、前記アナログ受信部と前記デジタル受信部とは前記アナログＴＶ信号と前記デジタルＴＶ信号とを第一中間周波信号に変換するための混合器を共用した。
【００１３】
また、前記混合器には前記アンテナ切替手段で選択された一つのアンテナの受信信号を入力した。
【００１４】
また、前記アンテナ特定手段は二つのアンテナを特定し、前記デジタル受信部は前記特定された各アンテナで受信したデジタルＴＶ信号をそれぞれ第一中間周波信号に変換するための二つの第一混合器と、前記各第一中間周波信号をそれぞれ第二中間周波信号に変換するための二つの第二混合器と、前記各第二中間周波信号をそれぞれ復調するための二つのＯＦＤＭ復調手段とを有し、前記第一混合器の一方には前記アナログＴＶ信号を入力し、前記各ＯＦＤＭ復調手段から出力されるデジタル信号を位相合わせしてダイバーシティ合成した。
【００１５】
また、前記アンテナ特定手段は二つのアンテナを特定し、前記デジタル受信部は前記特定された各アンテナで受信したデジタルＴＶ信号をそれぞれ第一中間周波信号に変換するための二つの第一混合器を有し、前記第一混合器の一方には前記アナログＴＶ信号を入力し、前記各第一中間周波信号を位相合わせしてダイバーシティ合成した。
【００１６】
また、前記メモリには前記デジタルＴＶ信号の送信所又は放送用中継所の位置情報を記憶し、前記メモリに前記受信情報が格納されていない時には前記アンテナ特定手段は前記ＧＰＳシステムからの車輌位置情報によって受信に適したアンテナを特定した。
【００１７】
【発明の実施の形態】
本発明の車載用ダイバーシティ受信装置を図１乃至図７に従って説明する。図１は第一の実施形態の構成例を示し、図２は本発明における切替制御手段の構成例を示し、図３乃至図７はそれぞれ第二乃至第六の実施形態の構成例を示す。
【００１８】
先ず、図１において、複数のアンテナ１（Ｎｏ．１乃至Ｎｏ．４）が接続されたアンテナ切替手段２にはアナログ受信部３とデジタル受信部４とが接続される。アナログ受信部３はＵＨＦ帯又はＵＨＦ帯のアナログＴＶ信号を中間周波信号に変換する混合器３ａと、中間周波信号を復調して映像信号（Ｖ）及び音声信号（Ａ）を出力する復調手段３ｂとを有する。
デジタル受信部４はアナログ受信部３とは独立して構成され、ＵＨＦ帯又はＵＨＦ帯のデジタルＴＶ信号を第一中間周波信号に変換するための第一混合器４ａと、第一中間周波信号を第二中間周波信号に変換するための第二混合器４ｂと、第二周波信号を復調するためのＯＦＤＭ復調手段４ｃ等を有する。ＯＦＤＭ復調手段４ｃの次段には誤り訂正手段４ｄが接続される。なお、混合器３ａ、４ａ、４ｂにはそれぞれ図示しない発振器から局部発振信号が供給される。
【００１９】
アンテナ切替手段２の切替動作を制御する切替制御手段５は図２に示すようにメモリ５ａ、アンテナ特定手段５ｂ等を有し、アンテナを選択するための選択信号をアンテナ切替手段２に力する。また、メモリ５ａとアンテナ特定手段５ｂには図示しないＧＰＳ受信機からの現在の車輌位置情報が入力される。
【００２０】
以上の構成において、アナログＴＶ信号の受信時には、アンテナ切替手段２は帰線期間中に順次アンテナ１（Ｎｏ．１〜Ｎｏ．４）を切り替える。そして、各アンテナで受信したアナログＴＶ信号の受信状態がチェックされ、受信状態が最良となるアンテナからのアナログＴＶ信号がアナログ受信部３に入力される。このとき、受信状態を示す受信情報（例えば、受信チャンネル、レベル、Ｓ／Ｎ等）は各アンテナ毎に対応して切替制御手段５のメモリ５ａに格納される。受信情報のうち、受信チャンネル情報はアナログ受信部３の図示しない選局部から入力され、レベル、Ｓ／Ｎ等は復調手段３ｂから入力される。
【００２１】
ＧＰＳシステムからの現在の車輌位置情報は常に切替制御手段５に入力されており、これを用いてメモリ５ａにはアナログＴＶ信号受信時における車輌の通過ルートにおける受信位置とその受信位置における各アンテナからのアナログＴＶ信号の受信情報との対応関係を示すテーブルが格納される。すなわち、各受信位置に対応する各アンテナの受信情報が格納されることになる。また、メモリ５ａには上記のテーブル以外にもデジタルＴＶ信号の送信所又は放送用中継所の位置情報も予め記憶しておく。
【００２２】
そして、デジタルＴＶ信号受信時には、アンテナ特定手段５ｂはＧＰＳシステムから受ける車輌位置情報に基づいて、現在の車輌位置がメモリ５ａに格納されている過去の受信位置と一致するか否かを調べ、一致する受信位置が有ればその受信位置における各アンテナの受信情報をチェックし、その中で受信に適した一つのアンテナを特定する。この特定はアンテナ特定手段５ｂによって行われる。そして、特定されたアンテナを選択するための選択信号をアンテナ切替手段２に送る。よって、デジタル受信部４には選択された一つのアンテナからのデジタルＴＶ信号が入力される。そして、ＯＦＤＭ復調手段４ｃから出力された復調後のデジタル信号は誤り訂正され、図示しないＭＰＥＧデコーダに入力される。
【００２３】
以上の構成では、デジタルＴＶ信号の受信時には、最初から受信に適したアンテナがアンテナ切替手段２によって選択されているので、常にアンテナ１の切替を行う必要がなく、デジタル受信部４での復調時に同期外れが起きにくくなる。
【００２４】
また、メモリ５ａにはデジタルＴＶ信号の送信所又は放送用中継所の位置情報も記憶されていることから、過去に通過した位置の受信情報が記憶されていないときには、アンテナ特定手段５ｂはそれらの送信所又は放送用中継所に最も近いものを探すと共に、探した送信所又は放送用中継所からのデジタルＴＶ信号を受信するのに最も適したアンテナを特定するようになっている。従って、このような場合にもアンテナ切替手段２はアンテナを選択できるので、復調時の同期はずは起きない。
【００２５】
図３に示す実施形態では、切替制御手段５におけるアンテナ特定手段５ｂはデジタルＴＶ信号の受信に適する二つのアンテナを特定する。従って、アンテナ切替手段２は二つのアンテナを選択する。また、アナログ受信部３は図１のものと同一の構成を有し、アナログＴＶ信号受信時ではアンテナ切替手段２によって選択された一つのアンテナからのアナログＴＶ信号がアナログ受信部に入力される。デジタル受信部４はアナログ受信部３とは独立して構成されるが、図示のように２系統からなり、選択された各アンテナからの同一チャンネルのデジタルＴＶ信号をそれぞれ第一中間周波信号に変換するための二つの第一混合器４ａ１、４ａ２と、各第一中間周波信号をそれぞれ第二中間周波信号に変換するための二つの第二混合器４ｂ１、４ｂ２と、各第二中間周波信号を復調する二つのＯＦＤＭ復調手段４ｃ１、４ｃ２等を有する。
【００２６】
また、二つのＯＦＤＭ復調手段４ｃ１、４ｃ２の出力間に位相制御ロジック４ｅが設けられ、さらに、一方のＯＦＤＭ復調手段４ｃ２の出力端に設けられた位相器４ｆと、他方のＯＦＤＭ復調手段４ｃ１と移相器４ｆとの出力間に設けられた加算手段４ｇとを有する。そして、加算手段４ｇに誤り訂正手段４ｄが接続される。四つの混合器４ａ１、４ａ２、４ｂ１、４ｂ２にはそれぞれ図示しない発振器から局部発振信号が供給される。
【００２７】
そして、二つの第一混合器４ａ１、４ａ２に入力されたデジタルＴＶ信号はそれぞれ周波数変換され、その後、それぞれ二つのＯＦＤＭ復調手段４ｃ１、４ｃ２によって復調される。復調によって得られたデジタル信号は位相制御ロジック４ｅによって互いの位相が比較され、その位相差信号が移相器４ｆに入力される。此によって、加算手段４ｇに入力される二つのデジタル信号の位相が同一となり、加算手段４ｇによってダイバーシティ合成されて最大パワーのデジタル信号が得られる。従って、図３の構成では複数のアンテナのうち、受信に適する上位二つのアンテナが選択された上に、さらにダイバーシティ合成されるので受信感度がアップし、良質の画像が得られる。
【００２８】
図４においても、アナログ受信部３は図１のものと同一の構成を有し、アナログＴＶ信号受信時ではアンテナ切替手段２によって選択された一つのアンテナからのアナログＴＶ信号がアナログ受信部に入力される。デジタル受信部４はアナログ受信部３とは独立して構成される。デジタル受信部４においては、アンテナ切替手段２によって選択された二つのアンテナからの同一チャンネルのデジタルＴＶ信号が二つの第一混合器４ａ１、４ａ２に入力される。二つの第一混合器４ａ１、４ａ２には発振器４ｈから局部発振信号が供給されるが、一方の混合器４ａ１には移相器４ｉを介して供給される。二つの混合器４ａ１、４ａ２の出力間には加算手段４ｊが設けられ、その後段には順次第二混合器４ｂ、ＯＦＤＭ復調手段４ｃ、誤り訂正手段４ｄが設けられる。そして、第二混合器４ｂの出力端及びＯＦＤＭ復調手段４ｃと移相器４ｉとの間に位相制御ロジック４ｋが設けられる。位相制御ロジック４ｋは第二混合器４ｂから出力される第二中間周波信号及びＯＦＤＭ復調手段４ｃから出力されるデジタル信号のパワーが最大となるように移相器４ｉを制御する。此によって、加算手段４ｊに入力される二つの第一中間周波信号の位相が同じになってダイバーシティ合成される。
【００２９】
図４の構成においても、受信に適する上位二つのアンテナが選択された上に、さらにダイバーシティ合成されるので受信感度がアップし、良質の画像が得られるが、第二混合器４ｂ以降の構成が１系統であるので、全体の構成を簡素化できる。
【００３０】
図５乃至図７はデジタル受信部４における第一混合器４ａをアナログ受信部３の混合器として共用する構成となっている。
先ず、図５において、デジタル受信部４は図１に示すものと同じ構成を有し、ＵＨＦ帯又はＵＨＦ帯のデジタルＴＶ信号を第一中間周波信号に変換するための第一混合器４ａと、第一中間周波信号を第二中間周波信号に変換するための第二混合器４ｂと、第二周波信号を復調するためのＯＦＤＭ復調手段４ｃ等を有する。ＯＦＤＭ復調手段４ｃの次段には誤り訂正手段４ｄが接続される。なお、混合器４ａ、４ｂにはそれぞれ図示しない発振器から局部発振信号が供給される。
【００３１】
また、アナログ受信部３は上記第一混合器４ａと復調手段３ｂとから構成される。故に、第一混合器４ａはアナログ受信部３とデジタル受信部４とに共用される。そして、アナログＴＶ信号受信時ではアンテナ切替手段２によって選択された一つのアンテナからのアナログＴＶ信号が第一混合器４ａを介して復調手段３ｂに入力される。また、デジタルＴＶ信号の受信時にはアンテナ切替手段２によって最も適切な一つのアンテナが選択され、そのアンテナのデジタルＴＶ信号が第一混合器４ａによって第一中間周波信号に変換される。そして、後段のＯＦＤＭ復調手段４ｃによってデジタル信号に復調される。この構成では第一混合器４ａが両方の受信部に共用されるので構成が簡単になる。
【００３２】
図６においては、切替制御手段５におけるアンテナ特定手段５ｂはデジタルＴＶ信号の受信に適する二つのアンテナを特定する。従って、アンテナ切替手段２は二つのアンテナを選択する。デジタル受信部４は図３のものと同一の構成を有し図示のように２系統からなり、選択された各アンテナからのデジタルＴＶ信号をそれぞれ第一中間周波信号に変換するための二つの第一混合器４ａ１、４ａ２と、各第一中間周波信号をそれぞれ第二中間周波信号に変換するための二つの第二混合器４ｂ１、４ｂ２と、各第二中間周波信号を復調する二つのＯＦＤＭ復調手段４ｃ１、４ｃ２等を有する。
【００３３】
また、二つのＯＦＤＭ復調手段４ｃ１、４ｃ２の出力間に位相制御ロジック４ｅが設けられ、さらに、一方のＯＦＤＭ復調手段４ｃ２の出力端に設けられた位相器４ｆと、他方のＯＦＤＭ復調手段４ｃ１と移相器４ｆとの出力間に設けられた加算手段４ｇとを有する。そして、加算手段４ｇに誤り訂正手段４ｄが接続される。四つの混合器４ａ１、４ａ２、４ｂ１、４ｂ２にはそれぞれ図示しない発振器から局部発振信号が供給される。また、アナログ受信部３は一方の第一混合器４ａ１と復調手段３ａとからなる。そして、アナログＴＶ信号受信時ではアンテナ切替手段２によって選択された一つのアンテナからのアナログＴＶ信号が一方の第一混合器４ａ１に入力される。
【００３４】
デジタルＴＶ信号受信時に二つの第一混合器４ａ１、４ａ２に入力された同一チャンネルのデジタルＴＶ信号はそれぞれ周波数変換され、それぞれ二つのＯＦＤＭ復調手段４ｃ１、４ｃ２によって復調される。復調によって得られたデジタル信号は位相制御ロジック４ｅによって互いの位相が比較され、その位相差信号が移相器４ｆに入力される。此によって、加算手段４ｇに入力される二つのデジタル信号の位相が同一となり、加算手段４ｇによってダイバーシティ合成されて最大パワーのデジタル信号が得られる。従って、図６の構成では複数のアンテナのうち、受信に適する上位二つのアンテナが選択された上に、さらにダイバーシティ合成されるので受信感度がアップし、良質の画像が得られる。また、第一混合器４ａ１がアナログ受信部３に共用されるので、簡単な構成となる。
【００３５】
図７に示すデジタル受信部４は、図４に示すものと同じ構成を有し、アンテナ切替手段２によって選択された二つのアンテナからの同一チャンネルのデジタルＴＶ信号が二つの第一混合器４ａ１、４ａ２に入力される。二つの第一混合器４ａ１、４ａ２には発振器４ｈから局部発振信号が供給されるが、一方の混合器４ａ１には移相器４ｉを介して供給される。二つの混合器４ａ１、４ａ２の出力間には加算手段４ｊが設けられ、その後段には順次第二混合器４ｂ、ＯＦＤＭ復調手段４ｃ、誤り訂正手段４ｄが設けられる。そして、第二混合器４ｂの出力端及びＯＦＤＭ復調手段４ｃと移相器４ｉとの間に位相制御ロジック４ｋが設けられる。位相制御ロジック４ｋは第二混合器４ｂから出力される第二中間周波信号及びＯＦＤＭ復調手段４ｃから出力されるデジタル信号のパワーが最大となるように移相器４ｉを制御する。此によって、加算手段４ｊに入力される二つの第一中間周波信号の位相が同じになってダイバーシティ合成される。
【００３６】
また、アナログ受信部３は一方の第一混合器４ａ１と復調手段３ｂとからなる。アナログＴＶ信号受信時ではアンテナ切替手段２によって選択された一つのアンテナからのアナログＴＶ信号が一方の第一混合器４ａ１に入力される。
【００３７】
図７の構成においても、受信に適する上位二つのアンテナが選択された上に、さらにダイバーシティ合成されるので受信感度がアップし、良質の画像が得られるが、第二混合器以降の構成が１系統であるので、全体の構成を簡素化できる。さらに、第一混合器４ａ１がアナログ受信部３と共用されるので、構成は一層簡単となる。
【００３８】
【発明の効果】
以上説明したように、切替制御手段にはアナログＴＶ信号受信時における受信位置と受信位置における各アンテナからのアナログＴＶ信号の受信情報との対応関係を示すテーブルを格納するメモリと、ＧＰＳシステムによって示された現在の車輌位置位置に一致するメモリ内の受信位置を探すと共に、受信位置における受信情報から受信に適したアンテナを特定するアンテナ特定手段とを設け、デジタルＴＶ信号受信時には、特定されたアンテナを選択するための選択信号を切替制御手段からアンテナ切替手段に出力したので、デジタルＴＶ信号の受信時には絶えずアンテナの切替を行うことがなく、はじめから適切なアンテナが選択されるので、デジタル受信部での復調時に同期外れが起きにくくなる。
【００３９】
また、デジタル受信部にはアンテナ切替手段で選択された一つのアンテナの受信信号を入力したので、デジタル受信部は１系統で簡単に構成される。
【００４０】
また、アンテナ特定手段は二つのアンテナを特定し、デジタル受信部は特定された各アンテナで受信したデジタルＴＶ信号をそれぞれ復調するための二つのＯＦＤＭ復調手段を有し、各ＯＦＤＭ復調手段から出力されるデジタル信号を位相合わせしてダイバーシティ合成したので、受信に適する上位二つのアンテナが選択された上に、さらにダイバーシティ合成されるので受信感度がアップし、良質の画像が得られる。
【００４１】
また、アンテナ特定手段は二つのアンテナを特定し、デジタル受信部は特定された各アンテナで受信したデジタルＴＶ信号をそれぞれ第一中間周波信号に変換するための二つの第一混合器を有し、各第一中間周波信号を位相合わせしてダイバーシティ合成したので、第二混合器以降の構成が１系統で済み、全体の構成を簡素化できる。
【００４２】
また、アナログ受信部とデジタル受信部とはアナログＴＶ信号とデジタルＴＶ信号とを第一中間周波信号に変換するための混合器を共用したので、構成が簡単になる。
【００４３】
また、混合器にはアンテナ切替手段で選択された一つのアンテナの受信信号を入力したので、いずれの受信部も１系統で構成されて簡単となる。
【００４４】
また、アンテナ特定手段は二つのアンテナを特定し、デジタル受信部は特定された各アンテナで受信したデジタルＴＶ信号をそれぞれ第一中間周波信号に変換するための二つの第一混合器と、各第一中間周波信号をそれぞれ第二中間周波信号に変換するための二つの第二混合器と、各第二中間周波信号をそれぞれ復調するための二つのＯＦＤＭ復調手段とを有し、第一混合器の一方にはアナログＴＶ信号を入力し、各ＯＦＤＭ復調手段から出力されるデジタル信号を位相合わせしてダイバーシティ合成したので、複数のアンテナのうち、受信に適する上位二つのアンテナが選択された上に、さらにダイバーシティ合成されるので受信感度がアップし、良質の画像が得られる。また、第一混合器がアナログ受信部に共用されるので、簡単な構成となる。
【００４５】
また、アンテナ特定手段は二つのアンテナを特定し、デジタル受信部は特定された各アンテナで受信したデジタルＴＶ信号をそれぞれ第一中間周波信号に変換するための二つの第一混合器を有し、第一混合器の一方にはアナログＴＶ信号を入力し、各第一中間周波信号を位相合わせしてダイバーシティ合成したので、受信に適する上位二つのアンテナが選択された上に、さらにダイバーシティ合成されるので受信感度がアップし、良質の画像が得られるが、第二混合器以降の構成が１系統であるので、全体の構成を簡素化できる。さらに、第一混合器がアナログ受信部と共用されるので、構成は一層簡単となる。
【００４６】
また、メモリにはデジタルＴＶ信号の送信所又は放送用中継所の位置情報を記憶し、メモリにアナログテレビジョン信号の受信情報が格納されていない時にはアンテナ特定手段はＧＰＳシステムからの車輌位置情報によって受信に適したアンテナを特定したので、初めての通過ルートでも受信に適切なアンテナが選択できる。
【図面の簡単な説明】
【図１】本発明の車載用ダイバーシティ受信装置における第一の実施形態の構成を示す回路図である。
【図２】本発明の車載用ダイバーシティ受信装置に使用する切替制御手段の構成を示す回路図である。
【図３】本発明の車載用ダイバーシティ受信装置における第二の実施形態の構成を示す回路図である。
【図４】本発明の車載用ダイバーシティ受信装置における第三の実施形態の構成を示す回路図である。
【図５】本発明の車載用ダイバーシティ受信装置における第四の実施形態の構成を示す回路図である。
【図６】従来の車載用ダイバーシティ受信装置における第五の実施形態の構成を示す回路図である。
【図７】従来の車載用ダイバーシティ受信装置における第六の実施形態の構成を示す回路図である。
【図８】従来の車載用ダイバーシティ受信装置の構成を示す回路図である。
【符号の説明】
１  アンテナ
２  アンテナ切替手段
３  アナログ受信部
３ａ  混合器
３ｂ  復調手段
４  デジタル受信部
４ａ、４ａ１、４ａ２  第一混合器
４ｂ、４ｂ１、４ｂ２  第二混合器
４ｃ、４ｃ１、４ｃ２  ＯＦＤＭ復調手段
４ｄ  誤り訂正手段
４ｅ  位相制御ロジック
４ｆ、４ｉ  移相器
４ｇ、４ｋ  位相制御ロジック
４ｈ  発振器
４ｊ  加算手段
５  切替制御手段
５ａ  メモリ
５ｂ  アンテナ特定手段
【図１】
2004186911.tif 000003
【図２】
2004186911.tif 000004
【図３】
2004186911.tif 000005
【図４】
2004186911.tif 000006
【図５】
2004186911.tif 000007
【図６】
2004186911.tif 000008
【図７】
2004186911.tif 000009
【図８】
2004186911.tif 000010